(57)【要約】【課題】スカートを着用した女性であっても、使用をためらうことのない姿勢矯正ベルトを提供する。【解決手段】座った姿勢にある着用者に対して、腰および左右の膝頭の周囲に装着して使用する、長さ調整可能なループ形状をなす姿勢矯正ベルト。この矯正ベルトは、着用時に左右の膝頭間に配置される弾性部材１６、２６を備えていて、ループ状のベルト１０、２０による締付力と、これに反発しようとする弾性部材１６、２６および筋肉の反発力と、のバランスによって姿勢を矯正する。この姿勢矯正ベルトは、全体が１つのループ形状を為していて、座った姿勢にある着用者の腰部および両膝頭の周囲に着用され、体全体を外側から内側へと締め付ける。したがって、スカートを着用した女性が使用した場合でも股間が開くということは無く、したがって、女性が使用をためらうということもなくなる。【選択図】  図６
2005000506.tif 000002
【特許請求の範囲】
【請求項１】
座った姿勢にある着用者に対して、腰から左右の膝頭にかけて装着して使用する、長さ調整可能なループ状の姿勢矯正ベルトであって、
着用時に左右の膝頭間に配置される弾性部材を備えていて、
ループ状のベルトによる締付力と、左右の膝頭間に配置された弾性部材による反発力とのバランスによって、姿勢を矯正することを特徴とする、姿勢矯正ベルト。
【請求項２】
人体背面の腰部に配置する腰当てパッドと、
第１連結部材を一端に備えるとともに、他端が腰当てパッドの一端に連結された、長さ調節可能な第１ベルト材と、
第１連結部材に連結される第２連結部材を一端に備えるとともに、他端が腰当てパッドの他端に連結された、長さ調節可能な第２ベルト材と、を備えていて、第１連結部材と第２連結部材とを連結することで、全体が１つのループ状に構成される、請求項１記載の姿勢矯正ベルトであって、
第１連結部材および第２連結部材は、着用者の左右の膝頭間の位置で互いに連結され、
上記弾性部材は、第１ベルト材の第１連結部材近傍位置および第２ベルト材の第２連結部材近傍位置の少なくとも一方に対して、着用者の内股側へと延在することとなるように取り付けたことを特徴とする、姿勢矯正ベルト。
【請求項３】
上記腰当てパッドの内面に、ツボを押圧する突起を設けたことを特徴とする、請求項１または２記載の姿勢矯正ベルト。
【請求項４】
上記突起は、腰当てパッドの内面に設けたポケットに別部材である凸状体を収容することで構成されていることを特徴とする、請求項３記載の姿勢矯正ベルト。
【請求項５】
上記第１および第２のベルト材は、着用時における水平方向からやや下方に向かって傾斜する角度をもって、腰当てパッドから延在していることを特徴とする、請求項２記載の姿勢矯正ベルト。
【発明の詳細な説明】
【０００１】
【発明の属する技術分野】
本発明は、例えば、オフィスワークやスポーツ観戦時に着用する姿勢矯正具に関する。
【０００２】
【従来の技術および発明が解決しようとする課題】
近年の健康ブームから、正しい姿勢の重要性についての認識が高まっており、歩き方教室やカイロプラクティック等が繁盛している。また、姿勢矯正用下着等の売行きも好調である。座った姿勢において使用する姿勢矯正具として、例えば、特許文献１に示したものがある。
【０００３】
【特許文献１】
実公昭５８−２８５８０公報（図１、図４）
【０００４】
特許文献１に示された姿勢矯正具は、着用者の背中側腰部に沿って配置する当て座と、その両側から左右に延在する２つの固定用バンドと、を備えてなる。一方の固定用バンドを左足の膝頭に、他方の固定用バンドを右足の膝頭に、それぞれ係合させて、締め付けることで姿勢を矯正する。
【０００５】
しかしながら、このような構成では、着用者の左右の膝頭を引き離す方向に力が作用し、着用時に股間が開いてしまう。このため、特にスカート姿の女性が使用をためらうという問題があった。
【０００６】
【課題を解決するための手段・作用・効果】
本発明は、上記問題を有効に解決するために創案されたものであって、以下の特徴を備えた姿勢矯正ベルトを提供するものである。
【０００７】
本発明の姿勢矯正ベルトは、座った姿勢にある着用者に対して、腰から左右の膝頭にかけて装着して使用する、長さ調整可能なループ形状をなしている。この矯正ベルトは、着用時に左右の膝頭間に配置される弾性部材を備えていて、ループ状のベルトによる締付力と、左右の膝頭間に配置された弾性部材による反発力とのバランスによって、姿勢を矯正する。
【０００８】
以上のように構成された本発明の姿勢矯正ベルトは、全体が１つのループ形状を為していて、座った姿勢にある着用者の腰部および両膝頭の周囲に着用され、体全体を外側から内側へと締め付ける。このため、着用者の左右の膝頭を引き離す方向に力が作用するのではなく、むしろ両膝頭を圧接させる方向に力が作用する。したがって、スカートを着用した女性が使用した場合でも股間が開くということは無くなり、したがって、女性が使用をためらうということもなくなる。
【０００９】
なお、着用時に両膝頭間に位置する弾性部材は、ベルトによる圧接に対するクッション材としての機能も兼ね備えていて、使用時の不快感を無くしている。
【００１０】
本発明の姿勢矯正ベルトにおいては、腰当てパッドの内面にツボを押圧する突起を設けて指圧効果を付与してもよい。また、着用時における水平方向からやや下方に向かって傾斜する角度をもって、第１および第２のベルト材が腰当てパッドから延在するように構成すれば、「ベルト材の延在方向」と「膝頭からベルト材への力の作用方向」とが一致するので、締付をより効果的に行なうことができる。
【００１１】
【発明の実施の形態】
本発明の実施形態を添付の図面を参照して以下に詳細に説明する。
基本形態
図１は、本発明の一実施形態に係る姿勢矯正ベルト１００の正面図である。正面図は、図４の斜視図および図６の着用状態図から分かるように、着用時に背中側腰部に沿う面を示している。図２は、姿勢矯正ベルト１００の背面を示している。
姿勢矯正ベルト１００は、腰当てパッド３０と、そこから左右両側に延びる第１ベルト材１０および第２ベルト材２０と、を備える。図３は、図２に示した姿勢矯正ベルト１００を上方側から見た平面図である。
【００１２】
第１ベルト材１０は、第１連結部材１２を一端に備えるとともに、他端が腰当てパッド３０の一端に連結されている。同様に、第２ベルト材２０は、第２連結部材２２を一端に備えるとともに、他端が腰当てパッド３０の他端に連結されている。
両連結部材１２、２２は、雄雌係合を利用して離脱可能に係合するものであって、一般的に知られたものを使用している。両連結部材１２、２２を連結すると、図４の斜視図に示したように、姿勢矯正ベルト全体が１つのループ状の形態をなす。また、第１ベルト材１０および第２ベルト材２０は、それぞれ、長さ調節のためのバックル１１、２１を備えている。
【００１３】
図４の斜視図および図６の着用状態図から分かるように、姿勢矯正ベルト１００は、着用時に左右の膝頭間に位置する弾性部材１６、２６を備えている。弾性部材１６は、第１ベルト材１０の第１連結部材１２近傍位置に配置されている。一方、弾性部材２６は、第２ベルト材２０の第２連結部２２材近傍位置に配置されている。両弾性部材１６、２６は、着用者の内股側へ向かって延在することとなるように取り付けている。
なお、いずれか一方の弾性部材を省略して、弾性部材１６または２６の一方だけを設けることも可能である。その場合には、当該弾性部材の肉厚を図示のものよりも厚く構成することが好ましい。
【００１４】
腰当てパッド３０は、ウレタン等の弾性クッション材を外部から布材で縫製したものである。また、この弾性クッション材に沿ってベルト状心材が配置されていて、第１ベルト材１０および第２ベルト材２０は、腰当てパッド３０内において、このベルト状心材と連結されている。このような構成を採用することで、腰当てパッド３０の部位においても両ベルト材１０、２０と同様の強度を維持することができ、姿勢矯正のための締付力を着用者に有効に伝達できる。また、腰当てパッド３０内にこのようなベルト状心材が存在することによって、後述する指圧用の突起をツボに対して有効に押し付けることが可能となる。
【００１５】
使用方法
図６は、姿勢矯正ベルト１００の着用状態を示す斜視図である。腰当てパッド３０を着用者の背中側腰部に沿って配置するとともに、第１ベルト材１０の第１連結部材１２と、第２ベルト材２０の第２連結部材２２と、を膝頭の位置で連結する。
このとき、バックル１１、２１によって両ベルト材１０、２０の長さを調節して、両連結部材１２、２２が左右の膝頭間の位置で連結されるようにする。また、連結後は、両ベルト端部１０ａ、２０ａを引っ張って、姿勢矯正ベルト全体としてのループ径を着用者の体格に応じて適宜調節できる。
このように、本発明の姿勢矯正ベルトは、全体が１つのループ状形態をなしており、座った状態にある着用者に対して、腰部および左右の膝頭を外周側から内側へと向かって締め付ける。一方、姿勢矯正ベルトは、着用時に左右の膝頭間に位置する弾性部材１６、２６を有している。すなわち、ベルト部による外周からの締付と、それに対抗しようとするクッション材および筋力の反発と、のバランスを利用して姿勢を矯正し、猫背を防止できる。
また、本発明の姿勢矯正ベルトにおいては、着用者の左右の膝頭を引き離す方向に力が作用するのではなく、むしろ両膝頭を圧接させる方向に力が作用するので、スカートを着用した女性が使用した場合でも股間が開くということは無くなり、したがって、女性が使用をためらうということもなくなる。
【００１６】
なお、図示の姿勢矯正ベルトは、膝頭の前方および外方に対応する位置にも弾性部材１５、２５を備えていて、着用時における装着感を高めている。弾性部材１５、１６、２５、２６は、例えば、ウレタン材を布材で包んだものをベルトに縫い付けることで構成されるが、上記目的を達成できるものであれば、それ以外の構成であってもよい。
【００１７】
また、腰当てパッド３０によって背中を支えているので、野球観戦や魚釣り等で、背もたれの無いベンチシートに長時間座る場合に使用すれば、長時間座っていても疲労が少なくて楽である。
【００１８】
変形例（１）
図１および図２に示したように、第１ベルト材１０および第２ベルト材２０は、それぞれ、腰当てパッド３０から水平方向に真横に突出するように延在している。しかしながら、本発明の姿勢矯正ベルトは、そのような構成に限定されるものではなく、両ベルト材１０、２０を図１中に想像線αおよびβで示したように、着用時における水平方向からやや下方に向かって傾斜する角度をもって、腰当てパッド３０から延在するように構成してもよい。その場合には、図６に示したように装着した場合に、ベルト材の延在方向と膝頭からベルト材への力の作用方向とが一致して、締付をより効果的に行なうことができる。
【００１９】
変形例（２）
本発明の姿勢矯正ベルトにおいては、腰当てパッド３０の背中側腰部に沿って位置する側の面に、指圧効果を与える突起を設けてもよい。当該突起は、姿勢矯正時の締付力によって背骨近傍位置のツボを刺激して指圧効果を与える。
例えば、図５に示したように、腰当てパッド３０の表面にポケット３１を縫い付けて、このポケット内に凸状体３３ａ、３３ｂを収容することで、上述のような突起を構成することができる。その場合、ポケット３１内で凸状体３３ａ、３３ｂをスライド移動させることで、着用者毎のツボ位置の微妙な相違に対応できるというメリットがある。ただし、腰当てパッド３０内に配置した上述のベルト状心材に対して凸状体を直接固定すること等によって、突起を構成することも勿論可能である。
【００２０】
本発明の姿勢矯正ベルトを使用すれば、体のゆがみを効果的に治すことができるので、適度なエクササイズを併用することで、簡単かつ効果的にダイエットを達成できる。したがって、「ウエストやせ」、「バストアップ」、「ボディラインを美しくする」、「太り難い体を作る」、「大腰筋の強化」等、健康によい様々な効果を得ることができる。
【図面の簡単な説明】
【図１】本発明の一実施形態に係る姿勢矯正ベルトを示す正面図である。
【図２】図１の姿勢矯正ベルトの背面図である。
【図３】図１の姿勢矯正ベルトを上方側から見た平面図である。
【図４】図１の姿勢矯正ベルトの斜視図である。
【図５】図１の姿勢矯正ベルトの腰当てパッドを示す部分拡大図である。
【図６】図１の姿勢矯正ベルトの着用状態を示す斜視図である。
【符号の説明】
１０  第１ベルト材
１１  バックル
１２  連結部材
１５、１６  クッションパッド（弾性部材）
２０  第２ベルト材
２１  バックル
２２  連結部材
２５、２６  クッションパッド（弾性部材）
３０  腰当てパッド
３１  ポケット
３３ａ、３４ｂ  指圧用凸状体
１００  姿勢矯正ベルト
【図１】
2005000506.tif 000003
【図２】
2005000506.tif 000004
【図３】
2005000506.tif 000005
【図４】
2005000506.tif 000006
【図５】
2005000506.tif 000007
【図６】
2005000506.tif 000008